(57)【要約】  【課題】真上に安定良く積み重ねできる椅子を提供する。  【手段】椅子は、座板１と左右側枠２と前後背板４，５とを備えている。側枠２の上部でかつ前部には上切欠き部６が形成されており、側枠２の下部は、前部は上切欠き部６と同じ側面形状の接地部７になっていてその後方は下切欠き部８になっている。後部背板４は左右側枠２に固定されていて床に接地するようになっており、上面は側枠２の上切欠き部６と同じ高さになっている。座板１と前部背板３とは一体的に固定されており、側枠２にねじ止めにて高さ調節可能に取り付けられている。【選択図】        図５
2005152219.tif 000002
【特許請求の範囲】
【請求項１】
座板とその左右に配置した側枠とを備えていて複数個を真上に積み重ねできる椅子であって、複数個を積み重ねた状態で下段の椅子の側枠で上段の椅子の側枠が支持されるように設定している、
椅子。
【請求項２】
前記左右側枠は板状に形成されており、左右側枠の上部でかつ前部に上切欠き部を形成することにより、左右側枠の上面の前部を段違い状に形成することと、左右側枠の下部を、前部は前記上切欠き部と同じ側面形状の接地部と成してその後方は下切欠き部と成すこととにより、椅子を複数個積み重ねると上段の椅子が下段の椅子に対して後ろ向きずれ不能に保持されるように設定しており、
更に、左右側枠の後端部間には、前部背板と後部背板とを前後に重なり合うように配置しており、後部背板を、その下面は床に接地して上面は側枠の切欠き部と同じ高さかそれより低い高さに設定することと、前部背板を、その下面及び上面とも後部背板のそれよりも高い高さに設定することとにより、椅子を複数個積み重ねると上段の椅子が下段の椅子に対して前向きずれ不能及び左右ずれ不能に保持されるように設定されている、
椅子。
【請求項３】
前記後部背板は左右側枠に一体的に固定されている一方、前記座板と前部背板とは一体的に固定されており、前記座板と前部背板とを左右側枠に高さ調節可能に取り付けている、
請求項２に記載した椅子。
【発明の詳細な説明】
【技術分野】
【０００１】
本願発明は、積み重ね可能な椅子に関するものである。
【背景技術】
【０００２】
椅子を上下に積み重ねできるようにするには様々の方法が採られている。最も代表的なものは、例えば特許文献１に開示されているように、脚をハ字状の姿勢に形成して、下段の座板を上段の脚で跨ぐようにして積み重ねるものである。
【０００３】
また、特許文献２には、左右の脚の下端部に左右外向きの張り出し部を形成し、上下の椅子の張り出し部を重ね合わせることが記載されている。更に、特許文献３には、脚を左右肘掛けの間に入る左右横幅寸法とすることによって積み重ねを可能とすることが開示されている。
【特許文献１】特公昭４９−１４９００号公報
【特許文献２】実開昭５５−１５２１５０号公報
【特許文献３】実開昭４９−９７１１０号公報
【発明の開示】
【発明が解決しようとする課題】
【０００４】
椅子は一般に背もたれ（或いは背板）を備えているが、特許文献１及び特許文献２では、上段の椅子は背もたれの厚さ分だけ下段の椅子よりも手前側にずれることになり、このため、積み重ねた状態で体裁が悪いと共に高く積み上げると倒れてしまうという問題がある。また、下段の椅子の座面に上段の椅子の座板が当たって汚れたり傷付いたりする虞もあった。
【０００５】
他方、特許文献３の場合は椅子群をほぼ真上に積み重ねることができるが、上段の椅子における脚の下面が下段の椅子の座面に当たるため座面が汚れることは避けられず、このため実用性に乏しいと言える。
【０００６】
本願発明は、このような現状を改善することを課題とするものである。
【課題を解決するための手段】
【０００７】
請求項１の発明に係る椅子は、座板とその左右に配置した側枠とを備えていて複数個を真上に積み重ねできるものであり、複数個を積み重ねた状態で下段の椅子の側枠で上段の椅子の側枠が支持されるように設定している。
【０００８】
請求項２の発明に係る椅子は、請求項１において、前記左右側枠は板状に形成されており、左右側枠の上部でかつ前部に上切欠き部を形成することにより、左右側枠の上面の前部を段違い状に形成することと、左右側枠の下部を、前部は前記上切欠き部と同じ側面形状の接地部と成してその後方は下切欠き部と成すこととにより、椅子を複数個積み重ねると上段の椅子が下段の椅子に対して後ろ向きずれ不能に保持されるように設定している。
【０００９】
更に、左右側枠の後端部間には、前部背板と後部背板とを前後に重なり合うように配置しており、後部背板を、その下面は床に接地して上面は側枠の切欠き部と同じ高さかそれより低い高さに設定することと、前部背板を、その下面及び上面とも後部背板のそれよりも高い高さに設定することとにより、椅子を複数個積み重ねると上段の椅子が下段の椅子に対して前向きずれ不能及び左右ずれ不能に保持されるように設定されている。
【００１０】
請求項３の発明に係る椅子は、請求項２において、前記後部背板は左右側枠に一体的に固定されている一方、前記座板と前部背板とは一体的に固定されており、前記座板と前部背板とを左右側枠に高さ調節可能に取り付けている。
【発明の効果】
【００１１】
本発明に係る椅子はその複数個を真上に積み重ねできるため、体裁良く積み重ねることができる。また、上段の椅子の側枠を下段の椅子の側枠で支持するものであるため、座面が汚れることも皆無となる。
【００１２】
請求項２のように構成すると、上下の側枠が嵌まり合うことによって上段の椅子は後ろ向きずれ不能に保持されると共に、前後の背板が重なり合うことによって上段の椅子は後ろ向きずれ不能に保持され、更に、上段の椅子の左右側枠で下段の椅子の背板が挟まれることにより、上下の椅子を左右ずれ不能に保持できる。このため、椅子群を水平方向にずれ不能の状態で真上に積み重ねることができる。
【００１３】
また、左右側枠と後部背板とが後部背板を介して連結されているため、全体として頑丈な構造になっており、また、後部背板も床に接地するため使用状態での安定性も優れている。
【００１４】
なお、請求項２の場合、後部背板の上面を側枠の上切欠き部と同じ高さに設定すると、椅子を積み重ねた状態で上段の後部背板と下段の後部背板とが重なり合うことになり、このため、積み重ね状態での安定性に一層優れている。
【００１５】
請求項３のように構成すると、使用者の身長に応じて座面の高さを変更できるため、例えば、幼児用や児童用の椅子として家庭で使用するにおいて、身体の成長に応じて座板の高さを変えたり、或いは、保育所や幼稚園で使用するにおいて、各幼児の身長に合わせて座板を適切な高さに設定したりすることができるため、幼児用や児童用の椅子として特に好適である。
【００１６】
なお、特に年少の幼児は椅子に腰掛けていても姿勢保持力が弱いため、身体を左右に倒すとそのまま倒れてしまうことが有り得るが、請求項３の椅子を幼児用に適用すると、座板の高さを下げると着座状態で幼児は左右側枠で保護された状態になるため、安全性を向上できる利点がある。
【発明を実施するための最良の形態】
【００１７】
次に、本願発明の実施形態を図面に基づいて説明する。
【００１８】
(1).第１実施形態（図１〜図７）
図１〜図７では第１実施形態を示している。本願発明は幼児用の椅子に適用しており、図１は斜視図、図２は図１のII-II 視断面図、図３は正面図、図４は側面図、図５は縦断側面図、図６は分離断面図、図７は積み重ね状態の一例を示す断面図である。
【００１９】
椅子は、座板１と、その左右に配置した木製等の側枠（側板、脚板）２と、左右側枠２の後部間に配置した前部背板３及び後部背板４と、座板１の前部下面に固着した補強材５とから成っている。各部材は木製板や合板を使用している（勿論、他の素材でも良い）。側枠２の上部でかつ前部には上切欠き部６が形成されており、このため、側枠２の前部は段違い状になっている（換言すると、側枠２の上部に段部が形成されている）。
【００２０】
また、側枠２の下部は、前部には上切欠き部６と同じ側面形状の接地部７があってその後方は下切欠き部８となっている。上切欠き部６及び接地部７のコーナー部は角張らないようにアール状に形成している。
【００２１】
後部背板４の下面は、床に接地するように側枠２における接地部７の下面と同じに揃えられている。また、後部背板４の上面は側枠２の上切欠き部６と同じ高さになっている。このため、図４に示すように、上下の側枠２を互いに噛み合わせると共に、上下の後部背板４を互いに当接した状態で複数の椅子を真上に積み重ねることができる。左右側枠２と後部背板４とで椅子の本体部（或いは本体枠）が構成されている。
【００２２】
前部背板３と補強材５は座板１にねじ止めによって固定されており、この座板１と前部背板３と補強材５とから成るユニットを側枠２にビス９で高さ調節可能に固定している。ビス９は前部背板３と補強材５とにねじ込まれており、側枠２にはねじ挿通穴１０を適宜間隔で複数個設けている。座板１を最上段の高さにした状態で、座板１の側面が上切欠き部６から外側に露出するように設定している。
【００２３】
前部背板３は着座者の背もたれ機能を司るもので、後部背板４は座板１の支持機能を司っている。そして、後部背板４に対する前部背板３の高さは変化し得るが、図７に示すように、座板１を最も低くしても前部背板３の上面が後部背板４の上面よりも高くなるように設定しておくと、座板１の高さに関係なく、積み重ねた状態で上段の椅子は下段の椅子に対して前向きずれ不能に保持される。
【００２４】
また、椅子群を積み重ねた状態で、上下に位置した側枠２は接地部７と上切欠き部６とが噛み合っているため、上段の椅子は下段の椅子に対して後ろ向きずれ不能に保持される。更に、下段の椅子の後部背板４が上段の椅子の左右側枠２で挟まれると共に、上段の椅子の後部背板４が下段の椅子の左右側枠２で挟まれるため、上下の椅子は左右ずれ不能に保持されている。従って、椅子は水平ずれ不能の状態で積み重ねることができる。
【００２５】
なお、後部背板４の上面は上切欠き部６より低い高さに設定することも可能である（この場合は、椅子を積み重ねた状態で左右の側枠２だけが当接することになる）。前部背板３の上部には、一般成人が手の平を挿入できる程度の大きさの横長の引手穴１６が空いている（図５及び図６では引手穴１６は省略している）。このため、椅子の持ち運びを楽に行える。
【００２６】
更に、図４に二点鎖線で示すように、後部背板４は左右側枠２の背面に固定することも可能である。この場合は、上段の椅子の後部背板４が下段の椅子の側枠２の背面に当たるため、上段の椅子は下段の椅子に対して前向きずれ不能に保持され、また、下段の椅子の前部背板３が上段の椅子の左右側枠で挟まれることにより、上下に積み重ねた椅子を左右ずれ不能に保持し得る。
【００２７】
ところで、幼児が使用する椅子は必ずしも座面が低い訳ではなく、例えば大人と一緒にテーブルで食事をする場合に使用する椅子は座面の高さを高くしている。このように高さの高い椅子を必要とする場合、従来は専用のものを用意していたが、これでは複数種類を椅子を製造しなければならないためコストが嵩む。
【００２８】
この点については、本願発明の椅子を２段に重ねてビスで固定することにより、高さの高い椅子として使用することができる。上下の椅子を固定する方法としては、例えば図４に示すように、上段の椅子の後部背板４と下段の椅子の前部背板３が重なっていることを利用して両者をビス１４で締結することや、上段の椅子の接地部７と下段の椅子の座板１の側面とが重なっていることを利用してこれらをビス１５で締結すること、下段の椅子の前部背板３と上段の椅子の側枠２とをビス（図示せず）で固定すること、或いは、図示しないブラケットを使用して締結することなどの各種の方法を一つ又は複数採用できる。
【００２９】
上段の椅子の座板１はテーブルの高さや幼児の身体等に合わせて高さを調節したら良い。また、足載せ台を必要とする場合は、下段の椅子の座板１を手前側にずらした状態で側枠２に取り付けたら良い。
【００３０】
(2).他の実施形態（図８〜図11）
図８〜図１１では他の実施形態を示している。このうち図８に示す第２実施形態では、第１実施形態に加えて、左右側枠２における下切欠き部８にピン（ダボ）１１を下向き突設する一方、側枠２の上面には、椅子を積み重ねたときに上段の椅子のピン１１が嵌まる係合穴１２を空けている。椅子を上下に積み重ねたときの水平ずれ防止手段としては、このようなピン１１と係合穴１２との組み合わせを採用することもできる。
【００３１】
図９に示す第３実施形態では、後部背板４の下端に下切欠き部８を形成してその底面からピン１１を突設し、後部背板４の上端に突起部４ａを形成してその上面に係合穴１２を形成している。なお、この実施形態では、椅子を上下に積み重ねた時の前後ずれ防止はピン１１と係合穴１２とによって図られるので、側枠２には必ずしも上切欠き部６と下切欠き部８とを形成する必要はない。
【００３２】
図１０では第４実施形態を示している。（Ａ）は椅子を上下に離した状態での側面図、（Ｂ）は（Ａ）のＢ−Ｂ視断面図である。この実施形態では、側枠２の上面に前後一対の上切欠き部６を形成する一方、側枠２の下面には下切欠き部８を挟んだ前後一対の接地部７を形成し、更に、側枠２の内側面の下部に、側面視で下切欠き部８と重複するようにストッパー板１３を設けている。
【００３３】
この実施形態では、椅子を積み重ねた状態では、上下の側枠２が互いに嵌まり合うことによって椅子の前後動が阻止され、かつ、上段の椅子のストッパー板１３が下段の椅子の側枠２に内側から重なることにより、椅子の前後動が阻止される。
【００３４】
なお、この実施形態では座板１は後部背板４に固定されており、座板１と後部背板４と前後の補強材５が一つのユニットとなって高さ調節されうる。また、本実施形態では前部背板３は左右側枠２に固定されている。前部背板３は必ずしも接地する必要はなく、左右側枠２を連結する機能を果たせば足りる。
【００３５】
(3).その他
本願発明は上記各実施形態の他にも様々に具体化することができる。例えば側枠は必ずしも板状である必要はなく、フレーム状であっても良い。また、座板や背板にクッション材を設けても良いのである。
【図面の簡単な説明】
【００３６】
【図１】第１実施形態に係る椅子の斜視図である。
【図２】図１のII-II 視断面図である。
【図３】正面図である。
【図４】側面図である。
【図５】縦断側面図である。
【図６】分離断面図である。
【図７】積み重ね状態の一例を示す断面図である。
【図８】第２実施形態を示す図である。
【図９】第３実施形態を示す図である。
【図１０】第４実施形態を示す図である。
【符号の説明】
【００３７】
１  座板
２  側枠
３  前部背板
４  後部背板
６  上切欠き部
７  接地部
８  下切欠き部
【図１】
2005152219.tif 000003
【図２】
2005152219.tif 000004
【図３】
2005152219.tif 000005
【図４】
2005152219.tif 000006
【図５】
2005152219.tif 000007
【図６】
2005152219.tif 000008
【図７】
2005152219.tif 000009
【図８】
2005152219.tif 000010
【図９】
2005152219.tif 000011
【図１０】
2005152219.tif 000012